(57)【特許請求の範囲】
【請求項１】
所定角度間隔で内方に向けて突出する複数の突出磁極(4)を有する輪状ステータ(1)と、前記輪状ステータ(1)の第１端面(1A)及び第２端面(1B)に対して一体又は別体にて設けられた輪状絶縁カバー(5)と、前記各突出磁極(4)に対して前記輪状絶縁カバー(5)を介して巻回されたステータ巻線(21)と、前記輪状絶縁カバー(5)に一体に形成され端子ピン(22)又はリード線(8)を保持すると共に全体形状が長手四角状をなす保持部(7)と、を備えてなるレゾルバステータ構造において、前記輪状ステータ(1)の前記各端面(1A,1B)のうちの少なくとも一方には、ねじ孔(30)を有する複数の筒状ねじ部品(31)が設けられ、
前記筒状ねじ部品(31)は、前記輪状ステータ(1)に形成された貫通孔(32)内に圧入され、前記貫通孔(32)を貫通した前記筒状ねじ部品(31)の先端部(31a)は、前記輪状ステータ(1)の前記第２端面(1B)に対してカシメ部(33)が形成され、
前記各筒状ねじ部品(31)の端部(31b)には、輪状板部品(40)を設け、前記輪状板部品(40)を貫通する取付ねじ(41)が前記筒状ねじ部品(31)の前記ねじ孔(30)に螺入することにより、前記輪状板部品(40)が前記筒状ねじ部品(31)に固定され、
前記各筒状ねじ部品(31)は、前記輪状ステータ(1)の前記輪状絶縁カバー(5)の外側(1C)に位置していると共に、前記輪状板部品(40)と前記輪状ステータ(1)が前記筒状ねじ部品(31)を介して互いに離間した状態で合体され、前記保持部(7)に対応して前記輪状板部品(40)には、内側開放形の切欠き(50)が形成されているレゾルバステータ構造。
【発明の詳細な説明】
【技術分野】
【０００１】
本発明は、レゾルバステータ構造に関し、特に、輪状ステータに複数の筒状ねじ部品を設け、前記各筒状ねじ部品を介して他の部品を輪状ステータに取付けることができるようにするための新規な改良に関する。
【背景技術】
【０００２】
従来、用いられていたこの種のレゾルバステータ構造としては、特許文献１に開示された図３の構成、及び、現在、市販されている図４の構成を挙げることができる。
すなわち、図３において符号１で示されるものは輪状ステータであり、前記輪状ステータ１の内壁には、所定角度間隔で内方に向けて突出する複数の突出磁極４がスロット４ａを介して内周に沿って配置されている。
【０００３】
前記各突出磁極４には、一体成形又は別体で形成された輪状絶縁部材５を介して、図示しないステータ巻線が巻回され、前記各突出する磁極４及び各ステータ巻線は、輪状巻線カバー６によって覆われている。
前記輪状絶縁部材５と一体で、かつ、外方へ向けて突出した保持部７には、前記ステータ巻線に直接接続されたリード線８、又は、前記ステータ巻線に接続されたピン(図示せず)が設けられ、外部への信号等の接続に利用されている。
【０００４】
図３で示される輪状ステータ１の外周側１０には、図４で示されるように、前記輪状ステータ１を自動車等に取付ける際に用いられるレゾルバ樹脂モールド１１が設けられている。
前記レゾルバ樹脂モールド１１をインサート成形で形成する場合は、前記輪状ステータ１を、図示しない射出成形機の金型内にセットすると共に、前記レゾルバ樹脂モールド１１に設ける複数のねじカラー１２を前記金型内の所定位置にセットして射出成形することによって得ることができる。
【０００５】
前述のように構成されたレゾルバ樹脂モールド１１の一面には、図４で示されるレゾルバカバー１３が設けられ、このレゾルバカバー１３に形成された複数のカバー用孔１４に設けられた取付ねじ１５は、前記レゾルバ樹脂モールド１１に設けられた前記ねじカラー１２に螺入されることにより、前記レゾルバカバー１３が前記レゾルバ樹脂モールド１１に取付けられるように構成されている。
【先行技術文献】
【特許文献】
【０００６】
【特許文献１】特開２００２−１７１７３７号公報
【発明の概要】
【発明が解決しようとする課題】
【０００７】
従来のレゾルバステータ構造は、以上のように構成されていたため、次のような課題が存在していた。
すなわち、図３で示される輪状ステータ１に対して、例えば、図示しない輪状カバー部材又はシールドカバー等を取付けようとすると、図４で示されるように、樹脂により形成したレゾルバ樹脂モールド１１にねじカラーを設け、これに取付けねじ１５を介して固定するため、レゾルバ樹脂モールド１１を形成する必要があり、金型代等を含めてコスト増となり、レゾルバのコストダウンには障害となっていた。
また、図３のような輪状ステータ１には、直接、レゾルバカバーやシールドカバー等を設けるには、図示しないボルトナット等の取付けを必要とし、輪状ステータ１の加工等を必要としていた。
【０００８】
本発明は、以上のような課題を解決するためになされたもので、特に、輪状ステータに複数の筒状ねじ部品を設け、前記各筒状ねじ部品を介して他の部品を輪状ステータに取付けることができるようにしたレゾルバステータ構造を提供することを目的とする。
【課題を解決するための手段】
【０００９】
本発明によるレゾルバステータ構造は、所定角度間隔で内方に向けて突出する複数の突出磁極を有する輪状ステータと、前記輪状ステータの第１端面及び第２端面に対して一体又は別体にて設けられた輪状絶縁カバーと、前記各突出磁極に対して前記輪状絶縁カバーを介して巻回されたステータ巻線と、前記輪状絶縁カバーに一体に形成され端子ピン又はリード線を保持すると共に全体形状が長手四角状をなす保持部と、を備えてなるレゾルバステータ構造において、前記輪状ステータの前記各端面のうちの少なくとも一方には、ねじ孔を有する複数の筒状ねじ部品が設けられ、また、前記筒状ねじ部品は、前記輪状ステータに形成された貫通孔内に圧入され、前記貫通孔を貫通した前記筒状ねじ部品の先端部は、前記輪状ステータの前記第２端面に対してカシメ部が形成され、前記各筒状ねじ部品の端部には、輪状板部品を設け、前記輪状板部品を貫通する取付ねじが前記筒状ねじ部品の前記ねじ孔に螺入することにより、前記輪状板部品が前記筒状ねじ部品に固定され、前記各筒状ねじ部品は、前記輪状ステータの前記輪状絶縁カバーの外側に位置していると共に、前記輪状板部品と前記輪状ステータが前記筒状ねじ部品を介して互いに離間した状態で合体され、前記保持部に対応して前記輪状板部品には、内側開放形の切欠きが形成されている構成である。
【発明の効果】
【００１０】
本発明によるレゾルバステータ構造は、以上のように構成されているため、次のような効果を得ることができる。
すなわち、所定角度間隔で内方に向けて突出する複数の突出磁極を有する輪状ステータと、前記輪状ステータの第１端面及び第２端面に対して一体又は別体にて設けられた輪状絶縁カバーと、前記各突出磁極に対して前記輪状絶縁カバーを介して巻回されたステータ巻線と、前記輪状絶縁カバーに一体に形成され端子ピン又はリード線を保持すると共に全体形状が長手四角状をなす保持部と、を備えてなるレゾルバステータ構造において、前記輪状ステータの前記各端面のうちの少なくとも一方には、ねじ孔を有する複数の筒状ねじ部品が設けられていることにより、輪状ステータに直接筒状ねじ部品を取り付けているため、シールドカバー等の種々の輪状板部品を取付けることができ、レゾルバステータの構造を大幅に簡略化できる。
また、前記筒状ねじ部品は、前記輪状ステータに形成された貫通孔内に圧入され、前記貫通孔を貫通した前記筒状ねじ部品の先端部は、前記輪状ステータの前記第２端面に対してカシメ部が形成されていることにより、輪状ステータへの筒状ねじ部品の取付けが容易となる。
また、前記各筒状ねじ部品の端部には、輪状板部品を設け、前記輪状板部品を貫通する取付ねじが前記筒状ねじ部品の前記ねじ孔に螺入することにより、前記輪状板部品が前記筒状ねじ部品に固定されている構成であることにより、輪状板部品の筒状ねじ部品への取付けが容易となる。
また、前記各筒状ねじ部品は、前記輪状ステータの前記輪状絶縁カバーの外側に位置している構成よりなることにより、各筒状ねじ部品の取付けが容易となる。
【図面の簡単な説明】
【００１１】
【図１】本発明によるレゾルバステータ構造を示す分解斜視図である。
【図２】図１の要部を示す拡大断面図である。
【図３】従来の輪状ステータを示す斜視図である。
【図４】従来のレゾルバ樹脂モールド型の輪状ステータを示す分解斜視図である。
【発明を実施するための形態】
【００１２】
本発明は、輪状ステータに複数の筒状ねじ部品を設け、前記各筒状ねじ部品を介して他の部品を輪状ステータに取付けることができるようにしたレゾルバステータ構造を提供することを目的とする。
【実施例】
【００１３】
以下、図面と共に本発明によるレゾルバステータ構造の好適な実施の形態について説明する。
尚、従来例と同一又は同等部分には、同一符号を付して説明する。また、図３の輪状ステータ１は、図１の輪状ステータ１と基本的には同一(但し、筒状ねじ部品を除く)であるため、これを本発明の構成の説明に援用する。
図１において、符号１で示されるものは輪状鉄芯からなる輪状ステータであり、この輪状ステータ１の内壁１ａには、所定角度間隔で内方に向けて突出する複数の突出磁極４が設けられている。
【００１４】
前記輪状ステータ１の第１端面１Ａ及び第２端面１Ｂには、樹脂一体成形又は各々別体にて形成されると共に前記突出磁極４の外周を覆うように構成された輪状絶縁カバー５が設けられている。
前記各突出磁極４には、前記輪状絶縁カバー５を介してステータ巻線２１が巻回されている。
【００１５】
前記輪状絶縁カバー５の一端には、端子ピン２２を有する保持部７が一体に設けられており、前記各突出磁極４に巻回された前記ステータ巻線２１の端線が前記端子ピン２２にからげられて接続されている。
尚、前記保持部７には、前記端子ピン２２が設けられている場合について述べたが、図３の従来構成のように、前記保持部７にリード線８を設け、前記端線を前記リード線８に接続する構成とすることができる。
【００１６】
前記輪状ステータ１の前記各端面１Ａ，１Ｂのうちの少なくとも一方には、図２に示されるように、ねじ孔３０を有する複数の筒状ねじ部品３１が貫通孔３２を介して設けられている。
前記筒状ねじ部品３１は、その先端部３１ａが前記貫通孔３２内に圧入によって挿入された後に貫通し、前記先端部３１ａは、一般のカシメよりも外部に突出する量が少ない突出量でカシメられたカシメ部３３によって前記輪状ステータ１に固定されている。
【００１７】
前述の輪状ステータ１に対する前記筒状ねじ部品３１の取付方法は、圧入とカシメを用いたクリンチングファスナー加工法に属するもので、前記輪状ステータ１に、輪状ステータ１を形成する時に予め形成された各貫通孔３２を用いている。
【００１８】
前記輪状ステータ１の前記第１端面１Ａには、軸方向Ａに沿って複数の筒状ねじ部品３１が植設された状態で設けられているため、前記各筒状ねじ部品３１の端部３１ｂには、例えば、シールドカバーあるいは接続用カバー等からなる輪状板部品４０が当接され、取付ねじ４１が前記輪状板部品４０を貫通して前記ねじ孔３０内に螺入されている。
従って、前記輪状板部品４０は、図２で示されるように、前記各筒状ねじ部品３１の端部３１ｂに固定されている。
従って、前記輪状板部品４０と前記輪状ステータ１が前記筒状ねじ部品３１を介して互いに離間した状態で合体され、前記保持部７に対応して前記輪状板部品４０には、内側開放形の切欠き５０が形成されている。
【００１９】
前記各筒状ねじ部品３１は、図１で示されるように、前記輪状ステータ１における前記輪状絶縁カバー５の外側１Ｃに位置しているため、前記輪状ステータ１に対する輪状板部品４０の取付けは極めて容易である。
【００２０】
次に、本発明によるレゾルバステータ構造の要旨とするところは、以下の通りである。
すなわち、所定角度間隔で内方に向けて突出する複数の突出磁極４を有する輪状ステータ１と、前記輪状ステータ１の第１端面１Ａ及び第２端面１Ｂに対して一体又は別体にて設けられた輪状絶縁カバー５と、前記各突出磁極４に対して前記輪状絶縁カバー５を介して巻回されたステータ巻線２１と、前記輪状絶縁カバー５に一体に形成され端子ピン２２又はリード線８を保持すると共に全体形状が長手四角状をなす保持部７と、を備えてなるレゾルバステータ構造において、前記輪状ステータ１の前記各端面１Ａ,１Ｂのうちの少なくとも一方には、ねじ孔３０を有する複数の筒状ねじ部品３１が設けられている構成であり、また、前記筒状ねじ部品３１は、前記輪状ステータ１に形成された貫通孔３２内に圧入され、前記貫通孔３２を貫通した前記筒状ねじ部品３１の先端部３１ａは、前記輪状ステータ１の前記第２端面１Ｂに対してカシメ部３３が形成されている構成であり、また、前記各筒状ねじ部品３１の端部３１ｂには、輪状板部品４０を設け、前記輪状板部品４０を貫通する取付ねじ４１が前記筒状ねじ部品３１の前記ねじ孔３０に螺入することにより、前記輪状板部品４０が前記筒状ねじ部品３１に固定されている構成であり、また、前記各筒状ねじ部品３１は、前記輪状ステータ１の前記輪状絶縁カバー５の外側１Ｃに位置していると共に前記輪状板部品４０と前記輪状ステータ１が前記筒状ねじ部品３１を介して互いに離間した状態で合体され、前記保持部７に対応して前記輪状板部品４０には、内側開放形の切欠き５０が形成されている構成である。
【産業上の利用可能性】
【００２１】
本発明によるレゾルバステータ構造は、従来のような、レゾルバ樹脂モールドを用いることなく、簡単な筒状ねじ部品を用いるだけで、輪状ステータに輪状板部品を取付けることができ、レゾルバステータ構造の簡略化及びコストダウンを達成できる。
【符号の説明】
【００２２】
１    輪状ステータ
1Ａ，1Ｂ    第１、第２端面
１Ｃ    外側
Ａ    軸方向
４    突出磁極
４ａ    スロット
５    輪状絶縁部材
６    輪状巻線カバー
７    保持部
８    リード線
１０    外周側
２１    ステータ巻線
３０    ねじ孔
３１    筒状ねじ部品
３１ａ    先端部
３１ｂ    端部
３２    貫通孔
３３    カシメ部
４０    輪状板部品
４１    取付ねじ
５０    切欠き
【図１】
0006557832.tif 000002
【図２】
0006557832.tif 000003
【図３】
0006557832.tif 000004
【図４】
0006557832.tif 000005